(57)【要約】【課題】入射光強度のピーク値を一定時間保持し、入射光強度のピーク値にたいして一定割合の値で入射光強度を２値化出力する光検知器を有する画像形成装置において、光量切り換え時にも正確で安定した水平同期信号を得る。【解決手段】入射光強度のピーク値を一定時間保持し、入射光強度のピーク値に対して一定割合の値で入射光強度を２値化出力する光検知器を有する画像形成装置において、光量切り換え時には保持している入射光強度のピーク値のリセットを行う。【選択図】　　　　　図１
2004066604.tif 000002
【特許請求の範囲】
【請求項１】
入射した光の強度である入射光強度を検出する手段と、前記入射光強度のピーク値を一定時間保持する保持手段と、前記保持手段に保持している入射光強度のピーク値に対する一定割合の値を基準に前記入射光強度を２値化出力する２値化出力手段と、前記保持手段に保持している入射光強度のピーク値を外部より強制的にリセットするリセット手段と、を備える光検出器と、レーザビームの光量切り換える光量切り換え手段と、を有し、前記光量切り換え手段によりレーザビームの光量が切り換えられた場合、前記光検出器のリセット手段により、前記光検出器の保持手段に保持している入射光強度のピーク値を外部より強制的にリセットすることを特徴とする画像形成装置。
【請求項２】
入射した光の強度である入射光強度を検出する手段と、前記入射光強度のピーク値を一定時間保持する保持手段と、前記保持手段に保持している入射光強度のピーク値に対する一定割合の値を基準に前記入射光強度を２値化出力する２値化出力手段と、前記保持手段に保持している入射光強度のピーク値を外部より強制的にリセットするリセット手段と、を備える光検出器と、レーザビームの光量切り換える光量切り換え手段と、を有し、レーザ駆動手段がリセット状態にある場合、前記光検出器のリセット手段により、前記光検出器の保持手段に保持している入射光強度のピーク値を外部より強制的にリセットすることを特徴とする画像形成装置。
【発明の詳細な説明】
【０００１】
【発明の属する技術分野】
本発明はフォトダイオードおよび光電変換回路やコンパレータ等の周辺回路から構成され、入射光強度を２値化出力する機能を有する光検出器を用いたレーザビームプリンタ等の画像形成装置に関するものである。
【０００２】
【従来の技術】
従来、画像信号により変調されたレーザビームを偏向させることにより、当該レーザビームを主走査させ、当該レーザビームに副走査方向に動く画像形成部材に照射させることにより画像を形成するレーザビームプリンタ等の画像形成装置おいては、フォトダイオードおよび光電変換回路やコンパレータ等の周辺回路から構成され、レーザビームが主走査を開始する時にレーザビームの入射光強度を２値化出力する光検出器を用いて光検出信号を生成し、この光検出信号を基準に画像信号を出力することにより、主走査タイミングと画像信号の書き出しタイミングの同期をとり、画像書き出し位置をを調整している。この光検出器においては、あらかじめ外付け素子等により設定される固定値を閾値として入射光強度を２値化出力する方式が以前より一般的であるが、近年では、光検出器内部に入射光量のピーク値を一定時間保持し、前記ピーク値に対してある一定割合（例えば、約５０％）を閾値として入射光強度を２値出力する方式が用いられるようになった。
【０００３】
【発明が解決しようとする課題】
しかしながら、上述の従来の技術には以下のような問題点があった。即ち、レーザビームプリンタ等の画像形成装置には、様々な理由からレーザビームの光量を切り換える等しているものが存在する。こうした画像形成装置においては、光検出器内部に入射光量のピーク値を一定時間保持し、前記ピーク値に対してある一定割合（例えば、約５０％）を閾値として入射光強度を２値出力する方式では、レーザビームの光量切り換えを行った場合、光検出器内部に光量切り換え以前の入射光量のピーク値が一定時間保持されるため、その時定数の関係から、光量切り換え直後においては、光量切り換え後の入射光量のピーク値に対してある一定割合（例えば、約５０％）を閾値として入射光強度を２値出力することができないという問題があった。
【０００４】
【課題を解決するための手段】
上述の問題点を解決するために、本発明による画像形成装置は、入射した光の強度である入射光強度を検出する手段と、前記入射光強度のピーク値を一定時間保持する保持手段と、前記保持手段に保持している入射光強度のピーク値に対する一定割合の値を基準に前記入射光強度を２値化出力する２値化出力手段と、前記保持手段に保持している入射光強度のピーク値を外部より強制的にリセットするリセット手段と、を備える光検出器と、レーザビームの光量切り換える光量切り換え手段と、を有する画像形成装置であって、前記光量切り換え手段によりレーザビームの光量が切り換えられた場合、前記光検出器のリセット手段により、前記光検出器の保持手段に保持している入射光強度のピーク値を外部より強制的にリセットすることを特徴とする。
【０００５】
また、上述の画像形成装置であって、レーザ駆動手段がリセット状態にあるとき、前記光検出器のリセット手段により、前記光検出器の保持手段に保持している入射光強度のピーク値を外部より強制的にリセットすることを特徴とする。
【０００６】
【発明の実施の形態】
以下、本発明の実施形態を図面を参照して説明する。
【０００７】
（実施形態１）
本発明の第１の実施形態を図１、図２を参照して説明する。図１は本発明の第１の実施形態に係る画像形成装置に使用される光検出器の基本構成を示すブロック図、図２は本発明の第１の実施形態に係る画像形成装置のタイミングチャートである。
【０００８】
図１において、１０は光検出器全体、１０１はフォトダイオード、１０２は電流伝送部、１０３は電流ピークホールド部、１０４は電流比較部である。本実施形態の光検出器１０では、フォトダイオード１０１が入射光強度に比例して出力する電流Ｉｐは、電流伝送部１０２から電流ピークピークホールド部１０３に出力されると同時に、ａ倍された電流ａ・Ｉｐが電流比較部１０４に出力される。電流ピークホールド部１０３では電流Ｉｐを一定時間保持するとともに、保持しているピークホールド電流Ｉｐ（ｐｅａｋ）をｂ倍してｂ・Ｉｐ（ｐｅａｋ）として電流比較部１０４に出力される。電流比較部１０４では前記電流ｂ・Ｉｐ（ｐｅａｋ）と電流ａ・Ｉｐの比較が行われ、即ち、電流ｂ・Ｉｐ（ｐｅａｋ）を閾値として電流ａ・Ｉｐの２値化が行われ、光検出信号が出力される。ここで、ａ＞ｂであり、例えば、ａ＝４、ｂ＝２であれば、入射光強度のピーク値に対して５０％で入射光強度の２値化が行われる。
【０００９】
図２において、上述のような光検出器１０を備える本発明の第１の実施形態に係る画像形成装置は、レーザビームの光量切り換えを行う際には、光検出器１０に対してリセット信号ＲＳＴを出力する。光検出器１０では、リセット信号ＲＳＴが電流ピークホールド部１０３に入力されることにより、ピークホールド電流Ｉｐ（ｐｅａｋ）のリセットが行われる。その後、光検出器１０のフォトダイオードに新たにレーザビームが入射することで、レーザビームの光量切り換え後の入射光強度のピーク値に対する一定割合の値を基準に前記入射光強度を２値化出力がレーザビームの光量切り換え以前と同様に正確に行うことが可能となる。
【００１０】
（実施形態２）
本発明の第２の実施形態を図３を参照して説明する。図３は本発明の第２の実施形態に係る画像形成のタイミングチャートである。なお、本発明の第２の実施形態に係る画像形成装置の基本構成等は、本発明の第１の実施形態に係る画像形成装置と同様である。
【００１１】
図３において、光検出器１０を備える本発明の第２の実施形態に係る画像形成装置では、レーザドライバ等のレーザ駆動回路がリセットされている状態にある時、光検出器１０に対してリセット信号ＲＳＴを出力する点が本発明の第１の実施形態に係る画像形成装置とは異なる。レーザドライバ等のレーザ駆動回路がリセットされている状態にあるとき、光検出器１０では、光検知信号を出力する必要がなく、リセット信号ＲＳＴが電流ピークホールド部１０３に入力されることにより、ピークホールド電流Ｉｐ（ｐｅａｋ）のリセットが行われる。その後、光検出器１０のフォトダイオードに新たにレーザビームが入射することで、レーザビームの光量切り換え後の入射光強度のピーク値に対する一定割合の値を基準に前記入射光強度を２値化出力がレーザビームの光量切り換え以前と同様に正確に行うことが可能となる。
【００１２】
【発明の効果】
以上説明したように、本発明の画像形成装置によれば、レーザビームの光量が切り換えられた場合、光検出器のリセット手段により、前記光検出器の保持手段に保持している入射光強度のピーク値を外部より強制的にリセットすることで、ピーク光量保持手段の時定数に関わらず、レーザビームの光量切り換え後の入射光強度のピーク値に対する一定割合の値を基準に前記入射光強度を２値化出力がレーザビームの光量切り換え以前と同様に正確に可能となる。
【図面の簡単な説明】
【図１】本発明の実施形態に係る画像形成装置の光検出器の主要ブロック図である。
【図２】本発明の第１の実施形態に係る画像形成装置の主要タイミングチャートである。
【図３】本発明の第２の実施形態に係る画像形成装置の主要タイミングチャートである。
【符号の説明】
１０　光検知器
１０１　フォトダイオード
１０２　電流伝送部
１０３　電流ピークホールド部
１０４　電流比較部
【図１】
2004066604.tif 000003
【図２】
2004066604.tif 000004
【図３】
2004066604.tif 000005